(57)【要約】  配信するサービス情報に顧客吸引力を持たせるべく、適切なエリアにおいて適切なタイミングでサービス情報を出力する受信装置、および、その受信装置が用いられる通信システムを提供する。  受信装置１００は、表示タイミング条件を含めて狭域基地局２００から送信されるサービス情報、および広域基地局３００から送信される広域基地局３００の識別子情報を受信する受信部３０と、サービス情報および識別子情報を記憶する記憶部４０と、サービス情報を表示する表示部５０と、受信部３０が受信するサービス情報と受信部３０が受信する広域基地局３００の識別子情報とを関連付けて記憶部４０に記憶した後、受信部３０が、サービス情報に関連付けられた広域基地局３００の識別子情報を再び受信した際に、記憶部４０に記憶されたサービス情報のうち表示タイミング条件を満たすものを表示部５０に表示するように制御する制御部１０と、を備える。
2010109906.tif 000002
【特許請求の範囲】
【請求項１】
表示タイミング条件を含めて狭域基地局から送信されるサービス情報、および、広域基地局から送信される当該広域基地局の識別子情報を受信する受信部と、
前記受信部が受信した前記サービス情報および前記識別子情報を記憶する記憶部と、
前記サービス情報を表示する表示部と、
前記受信部が受信する前記サービス情報と、前記受信部が受信する前記広域基地局の識別子情報とを関連付けて前記記憶部に記憶した後、前記受信部が、前記サービス情報に関連付けられた前記広域基地局の識別子情報を再び受信した際に、前記記憶部に記憶された前記サービス情報のうち前記表示タイミング条件を満たすものを表示部に表示するように制御する制御部と、
を備えることを特徴とする受信装置。
【請求項２】
前記制御部は、前記受信部が前記サービス情報を受信した際に、当該サービス情報を、前記受信部が受信する前記広域基地局の識別子情報と関連付けて前記記憶部に記憶する、請求項１に記載の受信装置。
【請求項３】
前記制御部は、前記受信部が前記サービス情報を受信した際に広域基地局の識別子情報を受信できない場合、当該サービス情報を前記記憶部に記憶して、前記受信部が後に前記識別子情報を受信した際に、当該識別子情報を、前記記憶部に記憶された前記サービス情報と関連付けて記憶する、請求項１に記載の受信装置。
【請求項４】
前記受信部が受信した広域基地局の識別子情報の履歴を記憶する履歴記憶部をさらに備え、
前記制御部は、前記受信部が前記サービス情報を受信した際に広域基地局の識別子情報を受信できない場合、当該サービス情報を、前記履歴記憶部に記憶された広域基地局の識別子情報の履歴の中から選択した識別子情報と関連付けて前記記憶部に記憶する、請求項１に記載の受信装置。
【請求項５】
表示タイミング条件を含めたサービス情報を受信装置に送信する狭域基地局と、
自局の識別子情報を前記受信装置に送信する広域基地局と、
前記狭域基地局から送信されるサービス情報と、前記広域基地局から送信される識別子情報とを関連付けて記憶した後、前記サービス情報に関連付けられた広域基地局の識別子情報を再び受信した際に、記憶した前記サービス情報のうち前記表示タイミング条件を満たすものを表示する受信装置と、
を含む通信システム。
【発明の詳細な説明】
【関連出願の相互参照】
【０００１】
本出願は、２００９年３月２６日に出願された日本国特許出願２００９−０７７３９４号の優先権を主張するものであり、この先の出願の開示全体を、ここに参照のために取り込む。
【技術分野】
【０００２】
本発明は、受信装置および通信システムに関するものであり、特に、エリアに特化したサービス情報を受信する受信装置、および、このような受信装置にサービス情報を送信する基地局を含む通信システムに関するものである。
【背景技術】
【０００３】
従来、特定の基地局から送信される電波が届く特定のエリア内に、携帯電話などの受信装置が移動してくると、その特定のエリア独自のサービス情報が基地局から受信装置に配信されるようなサービスを提供する、種々の情報提供システムが提案されている。例えば、携帯電話と無線通信する基地局が発信する識別情報から基地局固有の情報（基地局ＩＤ）を取り出し、内蔵の情報蓄積手段から基地局ＩＤに対応する当地の地域情報を自動的に受信する端末装置が提案されている（特許文献１参照）。この特許文献１に記載の端末装置は、予め各地域の情報を端末内部のメディアなどに蓄積しておき、当該地域の基地局から発信される基地局ＩＤを検出したら、その基地局ＩＤに対応する地域情報をユーザに提供することができる。【０００４】
他にも、位置情報を取得することにより、当該位置に対応する地域情報を、外部との通信によって取得することができる通信端末が提案されている（特許文献２参照）。特許文献２に記載の技術においては、特定の場所に存在する携帯電話などの移動体端末が、ガイドなどの情報を外部から受信することによって、その場所に適した情報をユーザに提供することができる。なお、この特許文献２の記載の端末装置は、ＧＰＳ(Global Positioning System)による通信を行ったり、固定位置に設けられた基地局からの距離を測定することにより、端末装置の位置を高い精度で特定することができる。【０００５】
これらの技術を適宜応用することにより、ある特定のエリア内に移動してきた通信端末に、そのエリア独自のサービス情報を基地局などの装置から無線通信により配信して、通信端末のユーザに特定のエリアに特化したサービス情報を提供することができる。最近では、例えばギャップフィラーやフェムトセルのような、狭域エリアにおける通信に特化した技術の開発も進んできている。したがって、このような狭域エリア向けのサービスに、上述した技術を適用すれば、狭域エリア内に移動してきた端末に、当該エリア内の装置から、そのエリア限定の情報を配信するという、きめ細かいサービスの提供を行うこともできる。【０００６】
このような技術に用いるサービス情報は、種々の態様のものを想定することができる。例えば、サービス情報が配信されるエリアが１店舗の店内のみの場合のように小さな場合には、その店舗における限定商品やお勧め商品の情報や、バーゲンやイベントが開催される日程の案内情報などのサービス情報を想定することができる。以下、狭域エリアで配信される情報であって、当該狭域エリアにおいて顧客に提供されるサービスに係る情報を、「サービス情報」と記す。
【先行技術文献】
【特許文献】
【０００７】
【特許文献１】特開平９−９８４７３号公報
【特許文献２】特開２００２−２４５０７７号公報
【発明の概要】
【発明が解決しようとする課題】
【０００８】
上述したように、１店舗のような狭域エリア内に移動してきた受信装置に、そのエリア限定のサービス情報を基地局が配信する場合、当該店舗独自の情報を配信できるというメリットがある。例えば、上述したように、店舗のお勧め商品の情報を、来店した顧客にサービス情報として配信することにより、当該店舗の商品に対する購買意欲を高めることができる。【０００９】
一方、上述したような、店舗においてバーゲンやイベント等が開催される日程などの案内をサービス情報として配信する場合、このような情報は、通常、当該店舗に来店してもらうことを意図して顧客に配信される情報である。すなわち、このようなサービス情報は、顧客吸引力を有することが求められる情報であるといえる。【００１０】
例えば店舗においてバーゲン等が現在開催されている場合、そのバーゲン開催の旨のサービス情報を顧客に配信することは、当該店舗の商品に対する購買意欲を起こさせる情報にはなり得る。しかしながら、このサービス情報は、既に来店している顧客に配信されており、まだ店に来ていない顧客に配信する情報ではない。したがって、この場合のサービス情報は、その店舗に来店させるような顧客吸引力を持つ情報とは言い難い。【００１１】
そこで、来店した顧客に対して、未来のイベントを告知する情報を配信すれば、そのようなサービス情報は、顧客吸引力を持つ情報になり得る。すなわち、例えば、来店した顧客に対して「３日後から当店にてバーゲン開催」のような情報を配信することにより、その顧客が再び来店する動機付けになり得る。したがって、このような情報であれば、顧客吸引力を有することが期待できる。【００１２】
しかしながら、一般的に、未来のイベントを告知する情報を与えられても、実際にそのイベントが開催される日が到来するまでに、その情報を忘れてしまう傾向がある人は多いと考えられる。通常、店舗側の営業上の計画として、バーゲンなどのイベントはかなり前から予定されていることが多い。しかしながら、かなり前から予定されているからといって、あまり先の未来の予定についての情報を顧客に配信しても、ほとんどの顧客は、そのイベントが開催される日まで当該情報を覚えていることができないと考えられる。このように、サービス情報を提供する際には、当該サービス情報を受信装置のユーザに対して提供する（つまりユーザに提示する）タイミングが非常に重要である。【００１３】
そこで、受信装置に内蔵されたタイマーなどの機能を用いて、提供されたサービス情報をすぐには表示せずに、所定時間経過後に表示されるような機構を受信装置に追加することも考えられる。このようにすれば、バーゲンなどのイベントの開催が近づいてきた日を狙って、例えばイベント開催の当日などに、サービス情報を受信装置に表示することができる。このため、ユーザが当該サービス情報を忘れてしまうということは回避されると考えられる。【００１４】
しかしながら、このようにして、例えばイベント開催の当日にサービス情報が受信装置に表示されても、受信装置のユーザが、イベントを開催する店舗から非常に離れた場所にいる場合、そのユーザは、わざわざ当該店舗に行くとは考えにくい。このような場合、当該サービス情報の顧客吸引力は、著しく弱いものになってしまう恐れがある。【００１５】
さらに、例えば、受信装置のユーザがイベント開催の日を覚えていて、イベントを開催している店舗に既にユーザが来店している時に、イベント開催の旨のサービス情報が受信装置に表示されたとしても、このような情報はユーザにとって邪魔なだけである。このような場合も、当該サービス情報は、ユーザにとって、迷惑メールやスパムメールの類と同じような価値しかないことも考えられ、顧客吸引力を有する情報とは言えない。【００１６】
したがって、かかる事情に鑑みてなされた本発明の目的は、配信するサービス情報に顧客吸引力を持たせるべく、適切なエリアにおいて適切なタイミングでサービス情報を出力する受信装置、および当該受信装置が用いられる通信システムを提供することにある。
【課題を解決するための手段】
【００１７】
上記目的を達成する第１の観点に係る受信装置の発明は、
表示タイミング条件を含めて狭域基地局から送信されるサービス情報、および、広域基地局から送信される当該広域基地局の識別子情報を受信する受信部と、
前記受信部が受信した前記サービス情報および前記識別子情報を記憶する記憶部と、
前記サービス情報を表示する表示部と、
前記受信部が受信する前記サービス情報と、前記受信部が受信する前記広域基地局の識別子情報とを関連付けて前記記憶部に記憶した後、前記受信部が、前記サービス情報に関連付けられた前記広域基地局の識別子情報を再び受信した際に、前記記憶部に記憶された前記サービス情報のうち前記表示タイミング条件を満たすものを表示部に表示するように制御する制御部と、
を備えることを特徴とするものである。【００１８】
第２の観点に係る発明は、第１の観点に係る受信装置において、
前記制御部は、前記受信部が前記サービス情報を受信した際に、当該サービス情報を、前記受信部が受信する前記広域基地局の識別子情報と関連付けて前記記憶部に記憶するものである。【００１９】
第３の観点に係る発明は、第１の観点に係る受信装置において、
前記制御部は、前記受信部が前記サービス情報を受信した際に広域基地局の識別子情報を受信できない場合、当該サービス情報を前記記憶部に記憶して、前記受信部が後に前記識別子情報を受信した際に、当該識別子情報を、前記記憶部に記憶された前記サービス情報と関連付けて記憶するものである。【００２０】
第４の観点に係る発明は、第１の観点に係る受信装置において、
前記受信部が受信した広域基地局の識別子情報の履歴を記憶する履歴記憶部をさらに備え、
前記制御部は、前記受信部が前記サービス情報を受信した際に広域基地局の識別子情報を受信できない場合、当該サービス情報を、前記履歴記憶部に記憶された広域基地局の識別子情報の履歴の中から選択した識別子情報と関連付けて前記記憶部に記憶するものである。【００２１】
また、上記目的を達成する第５の観点に係る通信システムの発明は、
表示タイミング条件を含めたサービス情報を受信装置に送信する狭域基地局と、
自局の識別子情報を前記受信装置に送信する広域基地局と、
前記狭域基地局から送信されるサービス情報と、前記広域基地局から送信される識別子情報とを関連付けて記憶した後、前記サービス情報に関連付けられた広域基地局の識別子情報を再び受信した際に、記憶した前記サービス情報のうち前記表示タイミング条件を満たすものを表示する受信装置と、
を含むものである。
【発明の効果】
【００２２】
本発明の受信装置によれば、狭域基地局から送信されるサービス情報と、広域基地局から受信する識別子情報と、を関連付けることができる。これにより、本発明の受信装置は、サービス情報に関連付けられた広域基地局の識別子情報を再び受信した際に、サービス情報のうち表示タイミング条件を満たすものを表示部に表示することができる。したがって、本発明の受信装置は、狭域基地局からサービス情報を受信しておけば、例えば後日そのサービス情報が提供されたエリアの周囲に近づいた段階で（実際にそのエリアに入る前に）、有用なサービス情報をタイムリーに表示させることができる。このため、各店舗で配信するサービス情報に顧客吸引力を持たせることができる。
【図面の簡単な説明】
【００２３】
【図１】本発明の実施の形態に係る通信システムの最も基本的な構成を説明する概念図である。
【図２】本発明の実施の形態に係る受信装置の概略構成を示す機能ブロック図である。
【図３】本発明の実施の形態に係るサービス情報の関連付け処理を説明するフローチャートである。
【図４】本発明の実施の形態に係るサービス情報の後置関連付け処理を説明するフローチャートである。
【図５】本発明の実施の形態に係るサービス情報の表示処理を説明するフローチャートである。
【発明を実施するための形態】
【００２４】
以下、本発明の実施の形態について、図面を参照して説明する。
【００２５】
図１は、本発明の実施の形態に係る通信システムの最も基本的な構成を説明する概念図である。図１に示すように、本発明の実施の形態に係る通信システムは、その最も基本的な構成として、受信装置１００と、狭域基地局２００と、広域基地局３００とを含む。
【００２６】
以下に説明する実施の形態において、受信装置１００は、携帯電話である場合を想定して説明する。しかしながら、本発明の受信装置１００は携帯電話に限定されるものではなく、例えばＰＤＡやノートパソコンなどの任意の携帯端末、またはカーナビゲーションシステムなどのような移動体端末その他に適用することができる。なお、受信装置１００Ａと、受信装置１００Ｂと、受信装置１００Ｃとは、通信を行っている位置が異なるだけであり、受信装置としては同じ端末を表すものとする。
【００２７】
また、本実施の形態において、狭域基地局２００は、フェムトセルの基地局である場合を想定して説明する。しかしながら、本発明の狭域基地局２００はフェムトセルの基地局に限定されるものではなく、例えばピコセル、ナノセル、マイクロセルなど、比較的小さなエリアを画成する基地局とすることができる。なお、本実施の形態においては、説明の便宜上、この狭域基地局２００が画成するエリア、すなわち狭域基地局２００の電波を受信することが可能なエリアを「狭域エリア」と記す。図１においては、受信装置１００Ａは、狭域基地局２００による狭域エリア内に存在し、狭域基地局２００からの電波を受信することができる。
【００２８】
以下の説明においては、狭域基地局２００による狭域エリアは、例えば１店舗の建物内などの比較的小さなエリアを想定している。店舗の建物内にフェムトセルの基地局を設置することにより、受信装置１００は、建物内部では、狭域基地局２００および広域基地局３００の電波を受信することができ、建物から出ると、広域基地局３００の電波のみを受信することができるものとする。しかしながら、本発明の狭域基地局２００による狭域エリアは、店舗内の使用に限定されるものではなく、例えば地下街などを含め、種々の使用態様が想定できる。
【００２９】
この狭域基地局２００は、表示タイミング条件を含めたサービス情報を受信装置１００に送信する。「サービス情報」とは、上述したように、狭域エリアで配信される情報であって、当該狭域エリアにおいて顧客に提供されるサービスに係る情報である。このサービス情報は、具体的には、例えば、当該サービス情報を配信する狭域エリアに係る店舗において、これから先の近い未来に行われる予定のバーゲンやイベントなどを告知する情報（広告など）とすることができる。また、「表示タイミング条件」とは、サービス情報に含めて共に受信装置１００に送信される情報であり、受信装置１００において当該サービス情報を表示すべきタイミングを規定する条件を構成する情報である。受信装置１００は、受信したサービス情報のうち、表示タイミング条件を満たすもののみを表示する。したがって、表示すべきタイミングを特に指定しない、すなわち配信後即座に表示すべきサービス情報の場合、狭域基地局２００は、当該サービス情報に表示タイミング条件を含めずに受信装置１００に送信することもできる。あるいは、このような場合、狭域基地局２００は、表示タイミング条件を「任意」として当該サービス情報に含めて、受信装置１００に送信してもよい。
【００３０】
さらに、本実施の形態において、広域基地局３００は、マクロセルの基地局である場合を想定して説明する。本発明の広域基地局３００は、比較的大きなエリアを画成する基地局であれば、その通信方式は限定されるものではない。なお、本実施の形態においては、説明の便宜上、この広域基地局３００が画成するエリア、すなわち広域基地局３００の電波を受信することが可能なエリアを「広域エリア」と記す。図１においては、受信装置１００Ａおよび受信装置１００Ｂは、広域基地局３００による広域エリア内に存在し、広域基地局３００からの電波を受信することができる。
【００３１】
この広域基地局３００は、自局の識別子情報を受信装置１００に送信する。自局の識別子情報とは、当該広域基地局３００の基地局ＩＤなどとすることができる、広域基地局３００を他の基地局と識別することを可能にする情報である。なお、一般的に、基地局装置が自局の識別子情報を送信する技術そのものは公知技術であるため、詳細な説明は省略する。
【００３２】
図１に示すように、受信装置１００Ａが存在する位置は、広域エリア内で、かつ狭域エリア内である。したがって、狭域基地局２００からの電波も、広域基地局３００からの電波も受信することができる。受信装置１００Ｂが存在する位置は、広域エリア内であるが、狭域エリア外である。したがって、狭域基地局２００からの電波は受信することができないが、広域基地局３００からの電波は受信することができる。受信装置１００Ｃが存在する位置は、狭域エリア外で、かつ広域エリア外である。したがって、狭域基地局２００からの電波も、広域基地局３００からの電波も受信することができない。なお、受信装置１００Ｃが存在する位置は、狭域基地局２００による狭域エリアおよび広域基地局３００による広域エリア以外の、他の基地局による他のエリア内であってもよい。
【００３３】
次に、本発明の実施の形態に係る受信装置１００について、さらに説明する。なお、狭域基地局２００は、従来技術によるフェムトセル等の基地局とほぼ同様の構成とすることができ、また広域基地局３００は、従来技術によるマクロセル等の基地局とほぼ同様の構成とすることができる。したがって、狭域基地局２００および広域基地局３００の構成についての詳細な説明は省略する。
【００３４】
図２は、本発明の実施の形態に係る受信装置の概略構成を示す機能ブロック図である。図２に示すように、受信装置１００は、制御部１０と、アンテナ２０と、受信部３０と、記憶部４０と、表示部５０と、操作入力部６０とを備えている。
【００３５】
制御部１０は、受信装置１００の全体の動作を制御し、当該制御のために必要な各種の処理を行う。また、制御部１０は、表示制御部１２と、記憶情報制御部１４とを含んでいる。アンテナ２０は、狭域基地局２００および広域基地局３００、ならびに他の基地局との電波の送受信を行う。受信部３０は、アンテナ２０を介して、狭域基地局２００から（表示タイミング条件を含めて）送信されるサービス情報を受信する。また、受信部３０は、アンテナ２０を介して、広域基地局３００から送信される広域基地局３００の識別子情報も受信する。
【００３６】
記憶部４０は、狭域基地局２００から受信したサービス情報、および、広域基地局３００から受信した広域基地局３００の識別子情報をはじめとして、各種の情報を記憶する。また、記憶部４０は、受信装置１００が移動して広域エリアをまたぐ場合、異なる広域エリア内に移動するに従って、各広域エリアの広域基地局の識別子情報（基地局ＩＤ）の履歴を記憶する履歴記憶部を含んでいる。表示部５０は、制御部１０から供給されるサービス情報を表示する。操作入力部６０は、ユーザによる操作入力を受け付けるための各種キーおよびボタン類により構成される。この操作入力部６０は、表示部５０を含めたタッチパネルにより構成することもできる。
【００３７】
制御部１０に含まれる記憶情報制御部１４は、受信部３０が狭域基地局２００からサービス情報を受信したら、そのサービス情報を、受信部３０が広域基地局３００から受信する広域基地局３００の識別子情報と関連付ける処理を行う。また、制御部１０に含まれる表示制御部１２は、記憶部４０に記憶されているサービス情報を抽出して、表示部５０に表示を行うための制御を行う。すなわち、表示制御部１２は、サービス情報に関連付けられた広域基地局３００の識別子情報を受信部３０が再び受信した際に、サービス情報のうち表示タイミング条件を満たすものを表示部５０に表示するように制御する。この処理については、詳細を後述する。
【００３８】
以下、本実施の形態に係る受信装置１００によるサービス情報の関連付け処理を説明する。本処理を説明するための一例として、狭域基地局２００による狭域エリア内は、ある量販店の店舗内を表すものとする。また、受信装置１００のユーザが、当該受信装置１００を携帯しながら、図１において受信装置１００Ｃ、受信装置１００Ｂ、受信装置１００Ａ、の位置の順に移動した場合について説明する。具体的な場面としては、例えば、このユーザの自宅が受信装置１００Ｃの位置周辺にあり、そこから受信装置１００Ｂの位置周辺を経て移動して、ある店舗内である狭域基地局２００による狭域エリア内の受信装置１００Ａの位置に到達した場面などが想定できる。
【００３９】
図３は、本発明の実施の形態に係る受信装置１００によるサービス情報の関連付け処理を説明するフローチャートである。
【００４０】
上述したように、受信装置１００が、ある店舗内である狭域基地局２００による狭域エリア内の位置、すなわち受信装置１００Ａの位置に到達した際に、サービス情報の関連付け処理は開始する。本処理が開始すると、制御部１０は、狭域基地局２００から送信されるサービス情報を受信部３０が受信したか否かを判定する（ステップＳ１１）。ステップＳ１１においてサービス情報が受信できない場合には、サービス情報を受信するのを待機する。一方、ステップＳ１１において、受信部３０がサービス情報を受信した場合、制御部１０は、当該サービス情報が、表示部５０にすぐに表示すべき情報か否かを判定する（ステップＳ１２）。
【００４１】
ステップＳ１２において判断される「すぐに表示すべき情報」とは、具体的には、現在その店舗でタイムサービスが行われている旨の情報や、今現在表示することに意味がある本日入荷の製品情報、または当該店舗の一般的な情報（例えば営業時間）などの、狭域エリアのサービス情報を想定している。
【００４２】
この「すぐに表示すべき情報」か否かの判断は、例えばステップＳ１１において受信したサービス情報に表示タイミング条件が含まれていなかった場合、表示制御部１２は、このサービス情報は受信後に即座に表示すべき情報とみなして表示部５０に表示する（ステップＳ１３）。また、ステップＳ１１において受信したサービス情報に表示タイミング条件が含まれていた場合、表示制御部１２は、当該表示タイミング条件を解析し、今現在が当該表示タイミング条件を満たすタイミングであれば、このサービス情報を表示部５０に表示する（ステップＳ１３）。
【００４３】
なお、ステップＳ１３において、狭域エリアのサービス情報を表示部５０に表示する場合、受信装置１００の設定により、各種の表示態様が考えられる。例えば、サービス情報を受信すると、ユーザの意図とは無関係に強制的に表示させる設定にしたり、または、サービス情報を受信した際に、受信した旨のポップアップ表示などをまず表示し、操作入力部６０に対するユーザの入力に応じてサービス情報を表示させてもよい。
【００４４】
一方、表示制御部１２がサービス情報の表示タイミング条件を解析した結果、今は当該表示タイミング条件を満たすタイミングでないと判断したら、表示制御部１２は、このサービス情報を今は表示しない（ステップＳ１２のＮｏ）。ここで、今現在が表示タイミング条件を満たすタイミングでない場合とは、例えば近い未来に行われるバーゲンなどのイベントや、先の商品入荷情報など、（今現在でなく）後に表示することを想定したサービス情報に付された表示タイミング条件を受信した場合を想定している。
【００４５】
ステップＳ１３においてサービス情報を表示した後、表示制御部１２は、後に再び表示すべき情報があるか否かを判定する（ステップＳ１４）。この場合にも、表示制御部１２が、サービス情報に含まれる表示タイミング条件を解析して、これから満たされる表示タイミング条件が含まれるサービス情報がまだ残っている場合、ステップＳ１５の処理に移行する。これは、例えば複数のサービス情報を受信している場合、その複数のサービス情報に含まれる表示タイミング条件がそれぞれ異なることもあることを想定している。また、例えば表示タイミング条件を満たして既に表示されたサービス情報のうちの一部に、部分的に、まだこれから満たされる表示タイミング条件が含まれているような場合も想定できる。一方、ステップＳ１４において、後に再び表示すべきサービス情報がもうない場合には、本処理は終了する。
【００４６】
ステップＳ１２において、表示タイミング条件により今現在はサービス情報を表示しないと判断された場合、または、ステップＳ１４において、表示タイミング条件により後に再び表示するサービス情報が存在する場合には、処理はステップＳ１５に移行する。ステップＳ１５においては、制御部１０は、広域基地局３００から送信される広域基地局３００の識別子情報を受信部３０が受信できるか否かを判定する（ステップＳ１５）。例えば、図１に示した状況においては、受信装置１００Ａは、狭域基地局２００から狭域エリア（店舗内）のサービス情報を受信したが、それと共に、広域基地局３００から広域エリアの識別子（基地局ＩＤなど）を受信することもできる様子を示している。
【００４７】
このように、広域基地局３００の識別子情報を受信できる場合、記憶情報制御部１４は、この広域エリアの広域基地局３００の識別子情報を受信して、先に受信した狭域エリアの狭域基地局２００のサービス情報と関連付ける（ステップＳ１６）。すなわち、本発明の受信装置１００は、狭域エリアのサービス情報を、その狭域エリアよりも大きな広域エリアの識別子情報と関連付ける。ステップＳ１６では、記憶情報制御部１４はさらに、このようにして関連付けたサービス情報および識別子情報を、記憶部４０に記憶するように制御する。
【００４８】
一方、ステップＳ１５において、広域基地局３００の識別子情報を受信部３０が受信できない場合、処理はステップＳ１７に移行する。広域基地局３００の識別子情報を受信部３０が受信できない場合とは、例えば図１において、狭域エリアを画成する店舗の建物が、電磁波の遮蔽性が極めて高い構造であったり、または狭域エリアを画成する店舗が地下に存在する場合などが想定される。また、広域基地局３００からの電波と、狭域基地局２００からの電波の周波数が異なる場合なども考えられる。このような場合、広域エリアの広域基地局３００からの電波が、受信装置１００Ａに届かないことも考えられる。
【００４９】
このような場合、ステップＳ１７にて、制御部１０は、直前の広域エリアの広域基地局の識別子情報を用いるか否かを判定する（ステップＳ１７）。ステップＳ１７における判定の際のＹｅｓ／Ｎｏは、どちらが選択されるか予め設定により決めておくこともできるし、あるいはステップＳ１７の判断の際に、操作入力部６０を介してユーザに入力を求めることにより、ユーザの判断を仰ぐようにすることもできる。
【００５０】
ステップＳ１７において、直前の広域エリアの広域基地局の識別子情報を用いることが選択された場合、制御部１０は、直前の広域エリアの広域基地局の識別子情報を、関連付けるべき広域エリアの広域基地局の識別子情報として選択する（ステップＳ１８）。この処理を行う際には、記憶部４０に含まれる履歴記憶部に記憶されている、現在までに通過した広域エリアの広域基地局の識別子情報（基地局ＩＤ）の履歴を用いる。例えば、図１に示した状況においては、受信装置１００のユーザは、当該受信装置１００を携帯しながら、受信装置１００Ｃ、受信装置１００Ｂ、受信装置１００Ａ、の位置の順に移動した。この際、記憶部４０に含まれる履歴記憶部には、受信装置１００Ｃの位置を含む広域エリアの広域基地局（図示せず）の識別子情報、そして受信装置１００Ｂの位置を含む広域エリアの広域基地局３００の識別子情報が、この順で識別子情報の履歴として記憶される。
【００５１】
したがって、受信装置１００Ａの位置において、広域エリアの広域基地局３００の識別子情報が受信可能でない場合でも、記憶部４０に含まれる履歴記憶部に記憶された識別子情報の履歴により、直前の広域エリアの広域基地局３００の識別子情報を取得することができる。ステップＳ１８においては、制御部１０は、この直前の広域エリアの広域基地局３００の識別子情報を、関連付けるべき広域エリアの広域基地局の識別子情報として準備（選択）する。
【００５２】
ステップＳ１８の後は、関連付けるべき広域エリアの広域基地局の識別子情報が存在するため、記憶情報制御部１４は、この広域エリアの広域基地局の識別子情報を、先に受信した狭域エリアの狭域基地局２００のサービス情報と関連付ける（ステップＳ１６）。このステップＳ１６でも、記憶情報制御部１４は、このようにして関連付けたサービス情報および識別子情報を、記憶部４０に記憶するように制御する。
【００５３】
一方、ステップＳ１７において、直前の広域エリアの広域基地局の識別子情報を用いないと判定された場合、処理はステップＳ１９に移行する。この場合は、電波状態の不調など何らかの原因により、広域エリアの広域基地局の識別子情報の履歴が記憶部４０の履歴記憶部に記憶されていない場合や、またはユーザの設定により、広域エリアの広域基地局の識別子情報の履歴を用いないようにしている場合などを想定している。
【００５４】
ステップＳ１９においては、制御部１０は、既に受信している狭域エリアの狭域基地局２００のサービス情報を、記憶部４０に記憶する（ステップＳ１９）。この処理は、先に受信した狭域エリアの狭域基地局のサービス情報を広域基地局の識別子情報と関連付けずに記憶部４０に記憶することで、後に広域エリアの広域基地局の識別子情報を取得できた場合に、これらを関連付けることを意図して行うものである。このように、後に広域基地局の識別子情報を取得できた際に行う上述した関連付けを、便宜上「後置関連付け処理」と記す。
【００５５】
次に、本実施の形態に係る受信装置１００によるサービス情報の後置関連付け処理を説明する。図４は、本発明の実施の形態に係る受信装置１００によるサービス情報の後置関連付け処理を説明するフローチャートである。本処理は、図３で説明したサービス情報の関連付け処理において、広域エリアの広域基地局の識別子情報を取得できずに、ステップＳ１９において、先に受信した狭域エリアの狭域基地局のサービス情報を広域基地局の識別子情報と関連付けずに記憶した処理の後に行う処理である。これは、図１に示した例においては、受信装置１００Ａの位置、すなわち狭域エリアにユーザが存在する際に、広域エリアの広域基地局３００の識別子情報を取得することが結局できなかった場合に対応する。このような場合であっても、ユーザが（量販店の店舗内である）狭域エリア内にてショッピングなどの用事が済んだ後は、帰宅等するために狭域エリアから出るものと想定される。このように、狭域エリア内においては広域エリアの広域基地局の識別子情報を取得できなかった場合でも、狭域エリアから出た際は、広域エリアの広域基地局の識別子情報を取得できると考えられる。
【００５６】
上述したように、受信装置１００の位置が狭域エリアの外に出る等して、広域エリアの広域基地局の識別子情報を取得できる状況になった時点で、サービス情報の後置関連付け処理は開始する。本処理が開始したら、まず、制御部１０は、受信部３０が広域エリアの広域基地局の識別子情報を受信したか否かを判定する（ステップＳ２１）。
【００５７】
ステップＳ２１において、受信部３０が広域エリアの広域基地局の識別子情報を受信したら、制御部１０は、この受信した広域エリアの広域基地局の識別子情報を、関連付けるべき広域エリアの広域基地局の識別子情報として選択する（ステップＳ２２）。この処理は、図３において説明したステップＳ１８と同様の処理を行う。次に、ステップＳ２２の後は、記憶情報制御部１４は、この広域エリアの広域基地局の識別子情報を、先に受信した狭域エリアの狭域基地局２００のサービス情報と関連付ける（ステップＳ２３）。この処理も、図３において説明した、ステップＳ１８を経た後のステップＳ１６と同様の処理を行う。
【００５８】
以上のように、図３で説明したサービス情報の関連付け処理、および図４で説明したサービス情報の後置関連付け処理により、各種の場合において、狭域基地局２００から受信したサービス情報を、広域基地局３００から受信する識別子情報と関連付けることができる。
【００５９】
次に、本発明の実施の形態に係る受信装置１００によるサービス情報の表示処理を説明する。この処理は、上述した処理により、広域エリアの広域基地局の識別子情報と関連付けられた、狭域エリアの狭域基地局のサービス情報を、受信装置１００において表示する処理である。
【００６０】
なお、上述した処理により、狭域エリアの狭域基地局のサービス情報を、広域エリアの広域基地局の識別子情報と関連付けた瞬間または直後のような場面においては、本処理であるサービス情報の表示処理を行う必要性は乏しいものと考えられる。なぜなら、即時性を有するサービス情報であるならば、図３で説明したステップＳ１２からステップＳ１３の処理のように、受信装置１００が当該サービス情報を受信したらすぐに表示部５０に表示するのが好適だからである。
【００６１】
したがって、本処理を行うのに好適な狭域エリアの狭域基地局のサービス情報は、当該サービス情報を配信する狭域エリアに係る店舗において、先の近い未来に行われる予定のバーゲンやイベントの告知や、先の商品入荷情報など、これから先に表示する情報が想定される。このような、サービス情報を表示すべき時期については、上述したように、サービス情報に含まれる表示タイミング条件により、受信装置１００においてサービス情報を表示するタイミングを適切に設定することができる。サービス情報に含まれる表示タイミング条件を適切に設定することにより、例えば、ユーザが狭域エリアの店舗内にてショッピングなどの用事が済んだ後に、帰宅等するために狭域エリアから出た際に、当該店舗のサービス情報が表示されるというような不都合を回避できる。
【００６２】
本処理を行うことを想定している場面は、狭域基地局のサービス情報を、図３（または図４）の処理により広域基地局の識別子情報と関連付けた日以後などに、受信装置１００のユーザが、再び、図１において受信装置１００Ｃから受信装置１００Ｂの位置の順に移動するような場面である。具体的な場面としては、例えば、このユーザの自宅が周辺にある受信装置１００Ｃの位置から、狭域基地局２００の狭域エリアを画成する店舗が近くにある、広域基地局３００の広域エリアに入った場面などが想定できる。すなわち、過去にユーザが訪れて受信装置１００がサービス情報を受信した店舗の近くに、そのユーザが現在再び受信装置１００と共に接近した場合などを想定している。
【００６３】
図５は、本発明の実施の形態に係る受信装置１００によるサービス情報の表示処理を説明するフローチャートである。
【００６４】
本処理が開始すると、制御部１０は、記憶部４０に記憶されているサービス情報に関連付けられた広域エリアの広域基地局の識別子情報を受信部３０が再び受信したか否かを判定する（ステップＳ３１）。ここでいう「再び」とは、受信装置１００は、狭域基地局２００のサービス情報と関連付けの処理を行った際に、広域エリアの広域基地局３００の識別子情報を既に受信していることを前提とすることを意味している。
【００６５】
上述した場面のように、図１に示した受信装置１００Ｃの位置から、受信装置１００Ｂの位置に移動すると、受信装置１００は、広域エリアの広域基地局３００の識別子情報を受信することができる。ここで、この広域エリアの広域基地局３００の識別子情報は、すでに狭域エリアの狭域基地局２００のサービス情報と関連付けられた状態で、記憶部４０に記憶されている。したがって、制御部１０は、受信装置１００Ｂの位置において、広域基地局３００の識別子情報を受信することにより、この識別子情報が、狭域基地局２００のサービス情報と関連付けられた広域エリアの広域基地局３００の識別子情報であることを認識できる。
【００６６】
ステップＳ３１にてサービス情報と関連付けられた広域エリアの広域基地局３００の識別子情報を受信したら、表示制御部１２は、この識別子情報に関連付けられているサービス情報に、表示タイミング条件が含まれているか否かを判定する（ステップＳ３２）。ステップＳ３２にてサービス情報に表示タイミング条件が含まれていない場合、表示制御部１２は、記憶部４０に記憶された、識別子情報に関連付けられているサービス情報を表示部５０に表示する（ステップＳ３３）。このように、サービス情報に表示タイミング条件が含まれていない場合、表示制御部１２は、このサービス情報は表示タイミングを考慮せずに表示して構わないものとみなして、このサービス情報が関連付けられた識別子情報を受信した瞬間にサービス情報を表示部５０に表示する。
【００６７】
一方、ステップＳ３２にてサービス情報に表示タイミング条件が含まれている場合、表示制御部１２は、記憶部４０に記憶された、識別子情報に関連付けられているサービス情報のうち、表示タイミング条件を満たすものを表示部５０に表示する（ステップＳ３４）。この際、表示制御部１２は、当該表示タイミング条件を解析し、今現在が当該表示タイミング条件を満たすタイミングであれば、このサービス情報を表示部５０に表示する。また、サービス情報のうちの一部が部分的に表示タイミング条件を満たす場合には、当該サービス情報のうち表示タイミング条件を満たす部分のみを表示部５０に表示する。なお、サービス情報に表示タイミング条件が含まれているものの、今現在、当該表示タイミング条件を満たす部分が存在しなければ、表示制御部１２は、当該サービス情報を表示部５０に表示しない。
【００６８】
以上の処理による本発明の効果を説明する。図１において、受信装置１００のユーザが受信装置１００Ａの位置に来て、狭域基地局２００が画成する狭域エリアの店舗に来店した際に、受信装置１００は、狭域基地局２００から配信される当該店舗のサービス情報を受信することができる。これにより、今現在の店舗の情報（商品情報など）を顧客に提供することができるため、当該店舗の商品などに対する顧客の購買意欲を高めることができる。
【００６９】
また、受信装置１００は、狭域基地局２００から配信される当該店舗のサービス情報であって後に表示することを意図したサービス情報も受信することができる。この際、受信装置１００は、上述したいくつかの方法により、広域エリアの広域基地局３００の識別子情報を、狭域エリアの狭域基地局２００のサービス情報と関連付けて記憶部４０に記憶する。この関連付けにより、後日などに、受信装置１００のユーザが受信装置１００Ｂの位置（広域基地局３００が画成する広域エリア内）に来た際に、近くにある店舗の（狭域基地局２００が配信した）情報のうち、例えば当日や翌日などの情報が受信装置１００に表示される。
【００７０】
したがって、狭域エリアの狭域基地局２００が配信したサービス情報は、受信装置１００が当該狭域エリアの周囲の広域エリアに来た際に、適切なタイミングで提供される。このため、このサービス情報は、顧客の観点から見れば、適切なエリアにおいて適切なタイミングで提供されるため、顕著な顧客吸引力を持つことが期待できる。
【００７１】
本発明によれば、エリアに応じて受信装置１００の位置を特定するが、広域基地局からの識別子情報によって受信装置の位置を判別するため、ＧＰＳなどの高度な位置特定システムを必要としない。また、位置の判別に際して、例えば地図情報などの、大容量の情報を予め蓄積しておく必要もない。したがって、本発明によれば、端末に大きな処理負荷または大きな記憶容量を課すことなく、さらには高度な機能部も要することなく自端末の位置を判別し、その位置に応じた適切なサービス情報を表示することができる。また、サービス情報を表示するトリガとなるのは、受信装置１００が広域基地局と通信を行うために必要となるデータのみであるため、サービス情報を表示する際の処理負荷も極めて軽いものとすることができる。
【００７２】
また、本発明によれば、エリア別のサービス情報は、各狭域エリアの狭域基地局から配信されるものを受信装置において受信するため、予め受信装置１００に蓄積しておく必要もない。さらに、本発明によれば、サービス情報を提供したエリアの周辺または付近において、サービス情報を既に配信した受信装置１００だけに、当該サービス情報を表示する。したがって、本発明によれば、サービス情報が配信された受信装置１００のユーザを、同じようなサービスを行う他のエリアではなく、サービス情報を提供した狭域エリアに誘導することができる。
【００７３】
以下、本発明のサービス情報として用いることが想定できる情報の例を記す。上述した実施の形態においては、サービス情報の好適な例として、近い未来に行われるバーゲンなどのイベントや、先の商品入荷情報などを挙げて説明した。このような商品入荷情報は、例えば衣料品類などをはじめとする、流行性に富む商品展開を行う業種においては、特に顧客を吸引する要素になると考えられる。
【００７４】
その他のサービス情報の例としては、例えば、飲食店のクーポンの表示を行うこともできる。このクーポンは、表示タイミング条件により、所定の期間に限って表示を行い、例えばこの所定期間内であれば、何度でも利用できるようにする。このようなクーポンのサービスを、例えば新メニューの提供を開始する旨の広告と合わせて提供（表示）することにより、一層の顧客吸引力を見込むことができると考えられる。
【００７５】
なお、このようなクーポンのサービスは、飲食店における利用に限るものではなく、他の商品を扱う店舗などにおいても、例えば現在の来店中には使用できないが、次回来店時に使用できるクーポンサービスとして利用することもできる。このようなサービスにより、顧客の当該店舗へのリピート率の向上が期待できる。
【００７６】
その他、新作のＣＤやＤＶＤなどの商品を紹介するサービス情報も有効であると考えられる。上述したサービス情報は、その実体は電子データであるため、テキストや画像の表示に限るものではなく、音声や動画のファイルにより構成することも考えられる。そのため、新作ＣＤの音声や新作ＤＶＤの映像などのサンプルを試しに視聴することができるサービス情報なども有効である。同様に、映画館にて上映される新作映画を紹介するサービス情報なども考えられる。この場合も、映画の予告映像（サンプル動画）や特典情報などをサービス情報に加えることが有効である。
【００７７】
特に、ＣＤやＤＶＤまたは書籍のような商品や、映画館で上映される映画などは、店舗が異なっても扱う商品やサービスは同じであるため、各店舗による差別化を前面に出しにくい場合もある。このような場合であっても、他店舗とは異なるサービス情報を用いることにより、（他店舗ではなく）最初にサービス情報を提供した店舗に顧客を再び誘導する効果が期待できる。
【００７８】
次に、本発明の表示タイミング条件として用いることが想定できる条件の例を記す。例えば、１つの店舗で配信するサービス情報であっても、その内容別に表示タイミング条件を付加することにより、時期により変化する表示を行うこともできる。例えば、ある商品のついてのサービス情報が、現在、当該店舗の周囲のエリアに移動すると「明日から発売開始」という旨の表示が行われているが、１日経過してから再びそのエリアに移動すると「本日、絶賛発売中」のような表示が行われるようにできる。このように、時期によって表示を変化させるように、表示タイミング条件の条件付けを行っておくことにより、よりタイムリーな情報を顧客に提供することができる。
【００７９】
また、上述した実施の形態においては、表示タイミング条件は、もっぱら時間的な条件を想定して説明したが、その他の種々の条件を想定することもできる。例えば、受信装置１００が、ユーザの性別、年代、住所、職業、趣味などの個人情報を予め収集して記憶部４０に記憶するか、またはユーザが自ら入力しておくようにして、表示タイミング条件と比較することも考えられる。すなわち、受信装置１００は、これらの条件が、狭域基地局から送信されるサービス情報に含まれる表示タイミング条件と適合する場合に、その条件に適合するサービス情報を表示するようにもできる。このようにすれば、ユーザの嗜好に一層合致するサービス情報を表示できるため、さらに顧客吸引力の高いサービス情報とすることが期待できる。
【００８０】
なお、本発明は、上述した実施の形態にのみ限定されるものではなく、幾多の変更または変形が可能である。例えば、上述した実施の形態では、受信装置１００は、狭域エリアの狭域基地局２００からサービス情報を受信したら、続いて広域エリアの広域基地局３００の識別子情報が受信できるか否かを判定した。しかしながら、サービス情報の受信に続けて、広域エリアの広域基地局３００の識別子情報をすぐには受信しない態様も考えられる。すなわち、狭域エリアの狭域基地局２００から受信したサービス情報に含まれている表示タイミング条件を満たすタイミングになった時点で、広域エリアの広域基地局３００の識別子情報を受信することも考えられる。この場合、サービス情報と関連付けるべき識別子情報が受信できた場合には、受信装置１００は、この関連付けと同時にサービス情報の表示を行う。
【００８１】
また、図３で説明したサービス情報の関連付け処理において、例えばステップＳ１５などにて、複数の広域基地局からの複数の異なる識別子情報が受信できる場合も考えられる。この場合、受信装置１００は、複数の広域基地局からの複数の異なる識別子情報を、全部記憶部４０に記憶してもよいし、所定個数だけ記憶するようにもできる。このようにして、複数の異なる識別子情報が記憶された場合、いずれの識別子情報をサービス情報に関連付けるか、または複数の識別子情報のうちのいくつかに関連付けるか、などを含めて、予め定めた優先度に従った手順で決定することができる。この際の優先度は、各識別子情報を送信した広域基地局からの電波を受信する際の電波の電界強度や、各広域基地局のセルのカバーする大きさなどに基づいて決定することができる。
【符号の説明】
【００８２】
１０  制御部
１２  表示制御部
１４  記憶情報制御部
２０  アンテナ
３０  受信部
４０  記憶部
５０  表示部
６０  操作入力部
１００  受信装置
２００  狭域基地局
３００  広域基地局
【図１】
2010109906.tif 000003
【図２】
2010109906.tif 000004
【図３】
2010109906.tif 000005
【図４】
2010109906.tif 000006
【図５】
2010109906.tif 000007
【国際調査報告】
2010109906.tif 000008
2010109906.tif 000009